(57)【要約】【課題】釣糸やタックルケールの他、人が携行する道具の引っ掛かりを防止して快適な実釣に資するピンオンリールの提供。【解決手段】ピンオンリール１０は、大別して、リール１１と、取付部１２と、連結具５０と、カバー６０とを備える。リール１１は、引出糸１５が引出自在なように巻回されたスプール１４を有する。スプール１４はケーシング１３内に収容されている。引出糸１５はケーシング１３の外部に導き出され、その先端に連結具５０が設けられている。ケーシング１３および連結具５０はカバー６０によって覆われる。【選択図】図３
2007222012.tif 000002
【特許請求の範囲】
【請求項１】
線材が引出自在に巻回されたスプールをケーシング内に収容するリールと、
上記ケーシングの外部に露出され、上記線材の先端に設けられた連結具と、
少なくとも上記連結具を覆うカバー部材と、を具備するピンオンリール。
【請求項２】
上記カバー部材は、上記ケーシングを覆う第１カバー部と上記連結具を覆う第２カバー部とを有する請求項１に記載のピンオンリール。
【請求項３】
上記カバー部材の幅方向端部は、上記連結具の側方に延設されている請求項１または２に記載のピンオンリール。
【請求項４】
上記カバー部材の内側に、該カバー部材の側面から該カバー部材の幅方向中央へ向けて延びる規制リブが設けられている請求項１から３のいずれかに記載のピンオンリール。
【請求項５】
上記規制リブは、上記カバー部材の両側面それぞれから上記幅方向中央へ向けて延びる第１リブと第２リブとを有してなり、上記第１リブの先端と上記第２リブの先端との間に所定の隙間が設けられている請求項４に記載のピンオンリール。
【請求項６】
上記カバー部材は、合成樹脂組成物からなるものである請求項１から５のいずれかに記載のピンオンリール。
【請求項７】
上記カバー部材は、透明部材からなるものである請求項１から６のいずれかに記載のピンオンリール。
【請求項８】
上記ケーシングは、上記スプールを収容するケーシング本体と、該ケーシング本体を封じる蓋体とを有し、
上記カバー部材は、上記スプールを回転可能に支持すると共に上記ケーシング本体と上記蓋体とを結合する結合部材を有する請求項１から７のいずれかに記載のピンオンリール。
【請求項９】
上記結合部材は、上記カバー部材の内面に立設された軸部材と、該軸部材の中心に形成されたネジ穴に螺着される締結部材とを有する請求項８に記載のピンオンリール。
【発明の詳細な説明】
【技術分野】
【０００１】
本発明は、例えば魚釣り等において釣人が魚釣用の小道具を衣服に吊り下げて携行するために用いられるピンオンリールに関するものである。
【背景技術】
【０００２】
例えば、魚釣りの際に、釣人は、ラインカッターやフックシャープナー、針外し等の魚釣用小道具を常時携帯しておくのが便利である。しかし、魚釣用小道具をいちいちポケットやバッグに保持していたのでは釣りに不便が生じる。そのため、魚釣用小物を釣りの邪魔にならないように、しかも必要な時に片手で素早く操作することを可能にするためのツールとして、ピンオンリールが知られている（例えば、特許文献１参照）。従来のピンオンリールは、一般に図８に示す如く構成を備える。ここに、同図において、（ａ）は正面図、（ｂ）は側面図である。
【０００３】
同図が示すように、ピンオンリール１は、ステンレス鋼等により形成されたケーシング２を備えている。ケーシング２内には、引出糸（線材）が予め巻き取られたスプール（図示せず）が内蔵されており、この引出糸の先端に小道具を取り付けるためのスナップ３が取り付けられている。通常、ケーシング２には取付ピン４（一般に安全ピン）が設けられており、ピンオンリール１は、この取付ピン４が衣類（ライフジャケット等）に突き刺されることによって固定されるようになっている。
【０００４】
上記引出糸は、上記スプールに対して常時巻き取られる方向（ケーシング２内に引き戻される方向）にバネ仕掛けにより弾性的に引っ張られている。このため、釣人は、スナップ３に取り付けられた魚釣用小道具を使用する際には、引出糸を矢印５の方向に手で引っ張ってケーシング２から引き出す。魚釣用小道具が使用された後は、釣人は引出糸を放すことによって、引出糸は、自動的に引き戻されてケーシング１内に巻き戻される。
【０００５】
ところで、衣服にピンオンリールが取り付けられた際に、ピンオンリールに釣糸が絡む糸絡みがしばしば起きる。この糸絡みは実釣において釣り動作を不便にさせる。そこで、ピンオンリールへの糸絡みを防止するべく、ピンオンリールが取り付けられる衣服の取付部の周りに該ピンオンリールを囲むように凸部を配した釣服が特許文献２に提案されている。また、特許文献３には、糸絡みを防止するだけでなく、ピンオンリールへの海水や雨の付着を防止することを目的として、ピンオンリールが取り付けられた状態でピンオンリールを覆い被せるカバーを備えた釣服が開示されている。
【０００６】
【特許文献１】特開２００２−２３５２２５号公報
【特許文献２】特開平１０−３３１００９号公報
【特許文献３】特開２０００−２５６９０７号公報
【発明の開示】
【発明が解決しようとする課題】
【０００７】
しかしながら、上記各特許文献２および３に記載の釣服がピンオンリールへの糸絡みを防止するとしても、釣服が代われば再びピンロンリールへの糸絡みが発生する。さらに、例えば釣人が磯に渡る際にタックルケースなどがピンオンリールやピンオンリールに取り付けられた魚釣用小道具に引っ掛かり、ピンオンリールや釣服が損傷するおそれもある。
【０００８】
本発明は上記事情に鑑みてなされたものであり、その目的とするところは、釣糸やタックルケールの他、人が携行する道具の引っ掛かりを防止して快適な実釣に資するピンオンリールを提供することにある。
【課題を解決するための手段】
【０００９】
(1)上記目的が達成されるため、本発明に係るピンオンリールは、線材が引出自在に巻回されたスプールをケーシング内に収容するリールと、上記ケーシングの外部に露出され、上記線材の先端に設けられた連結具と、少なくとも上記連結具を覆うカバー部材と、を具備して構成される。
【００１０】
このような構成によれば、特に糸絡みの生じやすいスナップなどの連結具がカバー部材によって覆われるため、連結具への糸絡みや衣服の引っ掛かりなどが防止される。また、例えば釣人がタックルケース等を携行して磯に渡る際にも、このタックルケースなどに上記連結具が引っ掛かることがない。さらに、上記連結具がカバー部材によって覆われているから、連結具の自由な移動が制限される。これにより、衣服に取り付けられたピンオンリールに魚釣用小道具を吊り下げた状態で釣人が激しく動き回っても、魚釣用小道具が大きく揺れ動くことが防止される。
【００１１】
(2)上記カバー部材は、上記ケーシングを覆う第１カバー部と上記連結具を覆う第２カバー部とを有するものである。
【００１２】
上記カバー部材は、上記連結具のみならず上記ケーシングにも及んで延設されている。従って、上記連結具と上記ケーシングとが上記カバー部材によって覆い隠される。このため、ピンオンリール全体への糸絡みや衣服の引っ掛かりなどが防止される。また、上記ケーシングが上記カバー部材によって覆われるため、ケーシング内への雨水や海水の浸入が防止され、リールの浸食が防止される。これにより、ピンオンリールの耐久性が向上する。
【００１３】
(3)上記カバー部材は、その幅方向端部が上記連結具の側方に延設されていることが望ましい。
【００１４】
かかる構成によれば、上記連結具の前方のみならずその側方も上記カバー部材によって覆われる。従って、連結具の側方への移動が効果的に制限される。これにより、実釣時における釣り動作および魚釣用小道具の操作性が格段に向上される。
【００１５】
(4)また、上記カバー部材の内側に、該カバー部材の側面から該カバー部材の幅方向中央へ向けて延びる規制リブが設けられている構成が考えられる。
【００１６】
ピンオンリールが衣服に取り付けられると、衣服とカバー部材との間に隙間が生じる。釣人の動作によって魚釣用小道具が揺れ動かされた際に、上記隙間から線材が抜けることも考えられる。本発明のピンオンリールを用いれば、上記規制リブによってカバー部材との間に形成された空間に連結具および線材を通したうえで魚釣用小道具が吊り下げられる。これにより、魚釣用小道具の揺れ動きが確実に制限され、線材の抜けが防止される。
【００１７】
(5)上記規制リブの具体例としては、上記カバー部材の両側面それぞれから上記幅方向中央へ向けて延びる第１リブと第２リブとを有してなり、上記第１リブの先端と上記第２リブの先端との間に所定の隙間が設けられているものが考えられる。
【００１８】
このように、第１リブと第２リブとを備えて構成されることで、カバー部材を規制リブと一体に成形することが可能となる。また、上記隙間を設けることで、線材を規制リブの内側に通すことが容易となる。
【００１９】
(6)また、上記カバー部材は、合成樹脂組成物からなるものであることが好ましい。
【００２０】
合成樹脂組成物は金属に比べて防錆、防食効果が高いため、雨水や海水によるカバー部材自体の浸食が効果的に防止される。
【００２１】
(7)更にまた、上記カバー部材が、透明部材からなるものであってもよい。
【００２２】
連結具がカバー部材に覆い隠されると、カバー部材が不透明である場合は、衣服にピンオンリールを取り付けた状態では、釣人は上記連結具を目視することができない。しかし、上述の如く、カバー部材を透明部材で形成することで、連結具を容易に視認することができるため、魚釣用小道具の連結具への連結が極めて容易となる。なお、カバー部材の全てが透明部材で形成されている必要はなく、連結具が覆い隠される部分のみが透明であればよい。
【００２３】
(8)また、本発明のピンオンリールにおいて、上記ケーシングは、上記スプールを収容するケーシング本体と、該ケーシング本体を封じる蓋体とを有し、上記カバー部材は、上記スプールを回転可能に支持すると共に上記ケーシング本体と上記蓋体とを結合する結合部材を有する構造を採用してもよい。
【００２４】
このような構造が採用されることで、リール、ケーシング、カバー部材を一つの結合部材により結合することができる。これにより、ピンオンリールの構造が簡素化される。
【００２５】
(9)なお、具体的な上記結合部材としては、例えば、上記結合部材は、上記カバー部材の被覆面に立設された軸部材と、該軸部材の中心に形成されたネジ穴に螺着される締結部材とを有するものであることが好ましい。
【発明の効果】
【００２６】
本発明によれば、連結具がカバー部材によって覆われるため、連結具の自由な移動が制限される。その結果、連結具への糸絡みや衣服の引っ掛かりなどが防止される。また、例えば釣人がタックルケース等を携行して磯に渡る際にも、このタックルケースなどに上結具に引っ掛かることがない。また、衣服に取り付けられたピンオンリールに魚釣用小道具を吊り下げた状態で、釣人が激しく動き回っても、魚釣用小道具が大きく揺れ動くことが防止されるため、魚釣用小道具の操作性が維持されるとともに、魚釣用小道具が携行道具に引っ掛かることがなくなる。
【００２７】
〔第１の実施形態〕
以下、図１乃至図６が適宜参照されつつ、本発明の第１の実施形態が詳細に説明される。ここに、図１は本発明の一実施形態に係るピンオンリール１０の正面図、図２はピンオンリール１０の背面図、図３はピンオンリール１０の斜視図、図４は衣服５５に取り付けられたピンオンリール１０の一部側断面図、図５はカバー６０の斜視図、図６はピンオンリール１０の分解斜視図である。なお、図４は、ピンオンリール１０を図１におけるIV−IV線で切断したときの断面を示す。
【００２８】
ピンオンリール１０は、例えば釣人が釣りの際に使用するものであって、実釣において必要と考えられる小道具がピンオンリール１０に吊り下げられる。ピンオンリール１０は、通常、釣人が着用するライフジャケット等に取り付けられる。
【００２９】
ピンオンリール１０は大別すると、図１乃至図３が示すように、リール１１と、取付部１２と、連結具５０と、カバー６０（カバー部材）とを有して構成されている。
【００３０】
リール１１は、図６が示すように、ケーシング１３と、スプール１４と、先端に連結具５０が取り付けられた引出糸１５（線材に相当）と、渦巻きバネ１７とを備えてなる。
【００３１】
ケーシング１３は、ケーシング本体１３ａと蓋体１３ｂとを備えている。これらは、例えば、樹脂或いは金属などにより構成されている。ケーシング本体１３ａは、図６が示すように、円形の器状に形成されており、内部にスプール１４が収容される収容空間１８が区画されている。ケーシング１３ａの底面１９の略中央部には、カバー６０に設けられた支持軸６１（軸部材に相当）を挿し通すための貫通孔２０が形成されている。また、ケーシング本体１３ａの開口周縁部には、蓋体１３ｂを支持するための段部２３が形成されている。更に、ケーシング本体１３ａの周面には、引出糸１５を挿通するための糸挿通孔２９が形成されている。
【００３２】
一方、上記蓋体１３ｂは円盤状に形成されており、ケーシング本体１３ａの開口部に嵌め込まれるようになっている。具体的には、蓋体１３ｂの周縁部にも段部２４が形成されている。段部２４は、上記段部２３と組み合わさるように段違い形状に形成されている。蓋体１３ｂの周縁部とケーシング１３ａの開口周縁部とが合わせられ、段部２４が段部２３に嵌め合わせられることによって、蓋体１３ｂがケーシング１３ａに嵌め込まれる。蓋体１３ｂの内面の略中央部には、円形の底面を有する凹部１６（図４参照）が設けられている。この凹部１６には、後述されるように、カバー６０の支持軸６１の先端が嵌め込まれる。
【００３３】
更に、蓋体１３ｂの外面の略中央部には、円柱状の突片２５が形成されている。この突片２５には、貫通孔２６が形成されている。この貫通孔２６の中心は、上記凹部１６の中心と一致している。従って、支持軸６１および突片２５は同一の中心軸を有する。また、上記貫通孔２６には、後述する組立ネジ２７（締結部材に相当）が挿通されるようになっており、突片２５の端面は上記組立ネジ２７が当接する座部を構成している。なお、上記支持軸６１と上記組立ネジ２７とによって本発明の結合部材が構成される。
【００３４】
スプール１４は、円筒形のボビン状に形成されており、樹脂或いは金属などにより構成される。スプール１４の一方の側面は閉塞されており、その閉塞された側面の略中央部には貫通孔３１が形成されている。スプール１４の他方の側面は開口されている。スプール１４の内部には、渦巻きバネ１７を収容する収容空間が設けられており、上記開口から渦巻きバネ１７がスプール１４内部に収容される。
【００３５】
スプール１４には、引出糸１５が予め巻き付けられている。引出糸１５としては、典型的には細径の鋼線（所謂ワイヤー）が採用される。もちろん、引出糸１５は鋼線に限られず、ナイロン糸なども採用され得る。引出線１５は、ケーシング本体１３ａの周面に設けられた糸挿通孔２９に挿通され、ケーシング本体１３ａの外部に導き出される。ケーシング本体１３ａの外部に導き出された引出糸１５の先端にスナップと呼ばれる連結具５０が設けられている。従って、連結具５０はケーシング１３の外部に露出されている。この連結具５０は、図１および図２が示すように、ピンオンリール１０に小道具を取り付けるためのものであり、例えば、略Ｕ字状に屈曲された細径の掛止片５１と、該掛止片５１を開閉可能に支持する固定部５２とを有する。この固定部５２は、掛止片５１の一端を回動可能に支持すると共に、その他端を取り外し可能に固定する。釣人が掛止片５１を摘んで掛止片５１を撓ませることによって掛止片５１の開閉が可能となる。釣人はこの掛止片５１にラインカッターなどの小道具を掛け吊すことで小道具をピンオンリール１０に装着する。なお、上記連結具５０は上述した構造のものに限られず種々のものが採用され得る。
【００３６】
渦巻きバネ１７は、細長薄肉の金属板が渦巻き状に巻回されることによって形成されている。この渦巻きバネ１７は、スプール１４の内部に挿入されて、スプール１４と共に上記ケーシング本体１３ａに収容される。このとき、貫通孔２０に挿入された支持軸６１が貫通孔３１に貫通されて、それによって渦巻きバネ１７の中心にある基端部３２が支持軸６１に設けられたバネ係止溝６３に嵌め込まれて固定される。また、渦巻きバネ１７の先端部３０は、スプール１４に渦巻きバネ１７が収容された状態でスプール１４の内壁面に固着される。
【００３７】
渦巻きバネ１７の巻回方向は、スプール１４が引出糸１５を巻き取る方向とは逆の方向に設定されている。従って、スプールから引出糸１５が引き出されることによってスプール１４が所定方向（図６では、向かって右回転）に回転する。これにより、渦巻きバネ１７は、当該巻回方向に更に回転される。その結果、スプール１４は反所定方向（図６では向かって左方向）に弾性的に回転付勢されるから、引出糸１５は、常時、スプール１４に巻き取られる方向に付勢されていることになる。
【００３８】
カバー６０は、図５が示すように、カバー本体６４と、その内面７０に立設された支持軸６１とを備える。このカバー６０は、リール１１および連結具５０を覆う。カバー６０は、合成樹脂（合成樹脂組成物）が金型に注入されることにより成形される。カバー本体６４と支持軸６とは一体に成形されている。このように、カバー６０が合成樹脂で成形されているため、金属で成形された場合に比べて防錆効果、防食効果が高められる。もちろん、カバー６０が金属などの素材で成形されてもよく、また、カバー本体６４と支持軸６１とが別部品で構成されてもよい。
【００３９】
カバー本体６４は、ケーシング１３を覆うカバー上部６５（第１カバー部）と、ケーシング１３の外部に設けられた連結具５０を覆うカバー下部６６（第２カバー部）とを有する。カバー上部６５とカバー下部６６とは連続して一体に形成されている。上記カバー下部６６には矩形状の窓６７が設けられている。この窓６７は、カバー下部６６の外面６９から内面７０に連通している。そのため、カバー下部６６で覆われた連結具５０が外部から目視できるようになっている。従って、釣人は、図４が示すように、衣服５５にピンオンリールが取り付けられた状態でも、連結具５０を目視しながら、魚釣用小道具を連結具５０に容易に連結することができる。なお、連結具５０が外部から視認可能であれば如何なる構成も採用可能であり、例えば、窓６７に代えて、カバー下部６６或いはカバー本体６４を透明或いは半透明の素材で成形してもかまわない。
【００４０】
カバー上部６５の上側は、所定曲率の曲げ部６８が形成されている。この曲げ部６８は、上記ケーシング本体１３ａの外形に対応している。カバー６０の内面７０であって、上記曲げ部６８の曲率中心付近には支持軸６１が立設されている。この支持軸６１には、軸方向に沿ってネジ孔６２が形成されていると共に、軸方向に深く切り欠かれたバネ係止溝６３が形成されている。上記支持軸６１には、ケーシング１３と共にスプール１４が支持される。スプール１４はケーシング１３に収容された状態でその貫通孔３１が支持軸６１に挿入されることによって、回転可能に支持される。
【００４１】
カバー本体６４は、その外面６９の幅方向端部７１から該外面６９に垂直な方向に延設された側面７２を有する。この側面７２は、リール１１および連結具５０の側方に延設されている。従って、連結具５０やこれに吊り下げられた小道具の左右方向への揺れが側面７２によって制限される。
【００４２】
側面７２の上側は上記曲げ部６８に連続している。一方、側面７２の下端は、カバー６０の下端と一致している。側面７２は、図４が示すように、カバー６０によってリール１１が覆われた際に、リール１１を完全に覆い隠すほどに長くその寸法が設定されている。従って、同図が示すように、衣服５５にピンオンリール１０が取り付けられた状態では衣服５５とカバー６０との間に隙間が生じないため、ピンオンリール１０への糸絡みや釣り道具の引っ掛かりが防止される。
【００４３】
図６が示すように、取付部１２は、フレーム３３と、フレーム３３に設けられた突刺ピン３４と、上記組立ネジ２７とを備えている。
【００４４】
フレーム３３は、平板状のベース３５と、ベース３５の一端部に設けられたピン保持部３６と、ベース３５の他端部に設けられたピン係止部３７とを備えている。これらは、樹脂等により一体的に形成されている。ピン保持部３６は保持軸３８を有し、上記突刺ピン３４の基端部は、この保持軸３８に回転自在に支持されている。一方、ピン係止部３７にはピン挿通溝４０が設けられており、このピン挿通溝４０に連続して、図示されていないピン収容部が形成されている。したがって、突刺ピン３４が回転され、その先端部がピン挿通溝４０からピン収容部に案内されることによって、図２乃至図３が示すように、突刺ピン３４がフレーム３３に保持される。
【００４５】
ベース３５の中央部には貫通孔４１が設けられている。この貫通孔４１は、図４が示すように、段付形状を呈しており、大径部４２及びこれに連続して大径部４２を縮径するように形成された小径部４３とを備えている。この大径部４２には、上記組立ネジ２７の頭部４４が嵌め込まれるようになっている。
【００４６】
組立ネジ２７は、軸部４５と上記頭部４４とを有している。軸部４５の外径寸法は、上記カバー６０の支持軸６１に設けられたネジ孔６２の内径寸法に対応されている。また、軸部４５には雄ネジが形成されており、したがって、組立ネジ２７は、上記ネジ孔６２に螺合されるようになっている。組立ネジ２７の頭部４４は円盤状に形成されており、その外径寸法は、上記ベース３５に設けられた貫通孔４１の大径部４２の内径寸法に対応されている。したがって、この頭部４４は、上記大径部４２に嵌め込まれる。
【００４７】
上述の如く構成されたピンオンリール１０は、以下に示される要領で組み立てられる（図６参照）。
【００４８】
まず、ケーシング本体１３ａの貫通孔２０にカバー６０の支持軸６１が挿入される。これにより、支持軸６１がケーシング本体１３ａを貫通する。
【００４９】
次に、前述のように、渦巻きバネ１７がスプール１４に固定されたリール１１が、ケーシング本体１３ａに嵌め込まれる。このとき、ケーシング本体１３ａを貫通する支持軸６１はスプール１４を貫通する。この状態で、上記蓋体１３ｂがケーシング本体１３ａに嵌め込まれる。なお、上記引出糸１５は、蓋体１３ｂが嵌め込まれる前に、ケーシング本体１３ａの糸挿通孔２９を介して予め外部に導き出される。
【００５０】
続いて、取付部１２のフレーム３３が上記蓋体１３ｂに取り付けられる。このとき、蓋体１３ｂの突片２５がフレーム３３の貫通孔４１に挿通される。そして、組立ねじ２７がフレーム３３、蓋体１３ｂ、スプール１４およびケーシング本体１３ａを貫通し、上記支持軸６１のネジ孔６２にねじ込まれる。組立ネジ２７がねじ込まれると、図４が示すように、その頭部４４がフレーム３３の貫通孔４１に嵌め込まれるが、この貫通孔４１には上記突片２５が嵌め込まれているから、組立ねじ２７の頭部４４は突片２５の端面に当接する。
【００５１】
このように、本実施形態に係るピンオンリール１０は、リール１１および連結具５０を覆うカバー６０が設けられているため、ピンオンリール１０への糸絡みや携行道具などへの引っ掛かりが防止される。特に糸絡みの生じやすい連結具５０がカバー６０によって覆われるため、連結具５０への糸絡みや携行道具への引っ掛かりを効果的に防止することができる。また、例えば釣人がタックルケース等を携行して磯に渡る際にも、このタックルケースなどに上記連結具５０が引っ掛かることがない。さらに、上記連結具５０がカバー６０によって覆われているから、連結具５０およびそれに吊り下げられる小道具の自由な移動が制限される。その結果、衣服５５に取り付けられたピンオンリール１０に魚釣用小道具を吊り下げた状態で釣人が激しく動き回っても、魚釣用小道具が大きく揺れ動くことがなく、他の道具への引っ掛かりが防止される。
【００５２】
なお、本実施形態では、カバー６０はリール１１および連結具５０の両方を覆う形状を呈しているが、カバー６０は連結具５０のみを覆う形状に成形されたものであってもよい。もっとも引っ掛かり易い連結部５０が覆われてさえいれば、連結具５０およびそれに吊り下げられる小道具の自由な移動が制限されるから、糸絡みや道具の引っ掛かりを防止することができる。
【００５３】
〔第２の実施形態〕
次に、第１の実施形態のピンオンリール１０の変形例について、図７を用いて以下に説明される。ここに、図７は、本発明の第２の実施形態にピンオンリール１０の斜視図である。本実施形態と上述した第１の実施形態とが異なるところは、カバー６０に代えてカバー６０′が取り付けられている点にある。従って、ここでは、カバー６０′について説明され、第１の実施形態と同じ構成要素については図７において同符号を付すことでその説明は省略している。
【００５４】
カバー６０′は、図７が示すように、その内側に規制リブ７５が設けられている。この規制リブ７５は、カバー６０′の左右側両方の側面７２の端部７８からカバー６０′の幅方向中央へ向けて延設されている。この規制リブ７５は、カバー６０′の下方に位置している。詳細には、連結具５０の位置に対応する位置に設けられている。上記規制リブ７５が設けられることにより、規制リブ７５、側面７２および内面７０で囲まれた空間７９が形成される。
【００５５】
規制リブ７５は、第１リブ７６と第２リブ７７とを備える。上記第１リブ７６は、正面視で右側の側面７２の端部７８から上記幅方向中央へ向けて延びる板状部材である。また、上記第２リブ７７は、正面視で左側の側面７２の端部７８から上記幅方向中央へ向けて延びる板状部材からなる。従って、第１リブ７６と第２リブ７７とは、図７が示すように、カバー６０′の幅方向中央付近でその幅方向先端が対向する。それぞれの幅方向先端の間には所定幅ｄの隙間８０が形成される。この隙間８０の幅ｄは、少なくとも、引出糸１５が通過し得る寸法に設定されている。
【００５６】
上記カバー６０′を有するピンオンリール１０が衣服５５に取り付けられて使用される場合、釣人は、連結具５０に必要な小道具を取り付けておく。そして、所要時に小道具を引っ張って引出糸１５を引き出すことによって快適に小道具を使用することができる。また、引き出された引出糸１５は、上記規制リブ７５によってカバー６０′と衣服５５との間から抜け出ることがなくなる。従って、小道具の使用が終え、引出糸１５がリール１１に巻き取られても、連結具５０は必ずカバー６０′内に収められる。これにより、連結具５０に吊り下げられた小道具の揺れ動きが確実に制限される。また、上記隙間８０が設けられているため、引出糸１５を上記隙間８０を通すだけで、連結具５０を上記空間７９を潜らすことなくカバー６０′内に収めることができる。
【００５７】
なお、上述した各実施形態は本発明の一例にすぎず、本発明の要旨を変更しない範囲で、実施形態を適宜変更することができる。例えば、上述の各実施形態では、ケーシング本体１３ａ及びカバー６０，６０′が別部品として構成された例が示されているが、上記カバー６０，６０′に代えて、ケーシング本体１３ａが内面に一体に形成されたカバーを採用してもよい。かかるカバーを採用することで、一の部材で上記ケーシング１３ａの機能と上記カバー６０，６０′の機能の双方を実現することができる。また、部品点数が省減されるため、ピンオンリールの組立を簡単にすることができ、好適である。なお、言うまでもないが、カバー６０，６０′のサイズや規制リブ７５のサイズは必要に応じて適宜変更することができることは勿論である。
【産業上の利用可能性】
【００５８】
本発明は、魚釣りなどのアウトドア活動において、小道具を衣服に吊り下げて携行するために用いられるピンオンリールに好適に利用され得る。
【図面の簡単な説明】
【００５９】
【図１】本発明の第１の実施形態に係るピンオンリール１０の正面図。
【図２】本発明の第１の実施形態に係るピンオンリール１０の背面図。
【図３】本発明の第１の実施形態に係るピンオンリール１０の斜視図。
【図４】衣服５５に取り付けられたピンオンリール１０の一部側断面図。
【図５】カバー６０の斜視図。
【図６】本発明の第１実施形態に係るピンオンリール１０の分解斜視図。
【図７】本発明の第２の実施形態に係るピンオンリール１０Ｂの斜視図。
【図８】従来のピンオンリール１の構成を示す正面図（ａ）及び側面図（ｂ）。
【符号の説明】
【００６０】
１０・・・ピンオンリール
１１・・・リール
１２・・・取付部
１３・・・ケーシング
１３ａ・・・ケーシング本体
１３ｂ・・・蓋体
１４・・・スプール
１５・・・引出糸
１７・・・渦巻きバネ
５０・・・連結具
５１・・・係止片
５２・・・固定部
６０，６０′・・・カバー
６１・・・支持軸
６２・・・ネジ孔
６３・・・バネ係止溝
６４・・・カバー本体
６５・・・カバー上部
６６・・・カバー下部
６７・・・窓
６８・・・曲げ部
６９・・・外面
７０・・・内面
７１・・・端部
７２・・・側面
７５・・・規制リブ
７６・・・第１リブ
７７・・・第２リブ
７８・・・端部
７９・・・空間
８０・・・隙間
【図１】
2007222012.tif 000003
【図２】
2007222012.tif 000004
【図３】
2007222012.tif 000005
【図４】
2007222012.tif 000006
【図５】
2007222012.tif 000007
【図６】
2007222012.tif 000008
【図７】
2007222012.tif 000009
【図８】
2007222012.tif 000010